(57)【要約】 【課題】飲料水缶やペットボトルの自動販売機への投入具に数本の飲料水缶やペットボトルを手で１本ずつ入れると時間や労力がかかる。【解決手段】飲料水缶の自動販売機への投入具に数本の飲料水缶を投入するために、飲料水缶の箱を投入台に載せて、スタンドの上部の支点で支えて、投入台の缶箱支持板を回転させると自動販売機への投入具に飲料水缶が転げ落ちるようにすることを特徴とする。また、飲料水缶の太さや高さにより調節できるようにする。【選択図】図1
2012003641.tif 000002
【特許請求の範囲】
【請求項１】
飲料水缶やペットボトルの自動販売機への投入具に飲料水缶やペットボトルを投入するために、支点前板と支点後板の上部が回転するように連結したスタンドの頂点に支点補助板を付け、支点補助板の下端に缶箱支持板をつける。缶箱支持板の下端に直角に缶箱載板を付け、缶箱載板の缶箱側板基準止板つける。支点前板と支点後板のスタンドの頂点上部で箱を支えて、缶箱支持板を回転させると自動販売機への投入具に飲料水缶やペットボトルが転げ落ちるようにした飲料水缶やペットボトルの投入台。
【請求項２】
飲料水缶やペットボトルの自動販売機への投入具に飲料水缶やペットボトルを投入するために、飲料水缶やペットボトルのスタンドの支点前板や支点後板、支点補助板、缶箱載板、缶箱支持板、缶箱側板基準止板を折りたたむことのできる飲料水缶やペットボトルの投入台。
【請求項３】
飲料水缶やペットボトルの自動販売機への投入具に飲料水缶やペットボトルを投入するために、飲料水缶やペットボトルの高さの違いにより缶通路の側板を側板伸縮腕木で調節できる飲料水缶やペットボトルの投入台。
【請求項４】
飲料水缶やペットボトルの太さの違いにより飲料水缶やペットボトルの箱の箱缶止板の角度を変えて缶通路が飲料水缶やペットボトルの太さに調節できる飲料水缶やペットボトルの投入台。
【発明の詳細な説明】
【技術分野】
【０００１】
この考案は、自動販売機に飲料水缶やペットボトルを入れる投入具に飲料水缶やペットボトル投入する投入台に関するものである。
【背景技術】
【０００２】
飲料水の缶やペットボトルを手で一本ずつ自動販売機に入れている。また,飲料水缶やペットボトルの自動販売機への投入具を使用しても投入具に飲料水缶やペットボトルを手で一本ずつ投入している。
【発明の概要】
【発明が解決しようとする課題】
【０００３】
飲料水缶やペットボトルの自動販売機への投入具に飲料水缶やペットボトルを投入するために、飲料水缶やペットボトルを手で１本ずつ入れるので時間と労力がかかるので飲料水缶箱を投入する台に載せて自動販売機への投入具に飲料水缶を投入することを目的とする。
【課題を解決するための手段】
【０００４】
飲料水の缶やペットボトルを自動販売機へ投入する投入具に飲料水缶やペットボトルを投入するために、飲料水缶やペットボトルの箱載板に飲水缶箱を載せて箱支持板を支点前板と支点後板や支点補助板の上部が蝶番で連結したスタンドの上部で支えて箱支持板を回転させると自動販売機への投入具に転げ落ちるようにすることを特徴とする。
【発明の効果】
【０００５】
飲料水自動販売機の投入口に飲料水の缶やペットボトルを手で1本ずつ入れるのではなく，数本の飲料水缶やペットボトルを飲料水の缶やペットボトルの投入具に入れて、飲料水自動販売機の投入口に投入する場合に、この投入具に手で1本ずつ入れるのではなく箱載板に飲料水缶箱を載せて箱支持板を支点前板と支点後板や支点補助板の上部が蝶番で連結したスタンドの上部を支点として、箱支持板を回転させて、連続して缶やペットボトルが転げ落ちて投入できるので時間がかからない。スタンドの支点が低いので小さな力で箱支持板を回転させて飲料水缶を投入することができる。缶通路の側板を側板伸縮腕木で缶通路の幅を調節できるので飲料水缶の高さの違う飲料水缶を投入することができる。また、短時間で投入が終わるので労力がかからない。
【図面の簡単な説明】
【０００６】
【図１】缶投入台の斜視図である。
【図２】缶投入台の正面図である。
【図３】缶投入台の折りたたみの正面図である。
【図４】缶投入台の缶通路の斜視図である。
【図５】缶投入台の缶通路具の伸縮板の正面図である。
【発明を実施するための形態】
【０００７】
飲料水缶やペットボトルの自動販売機への投入具に飲料水缶やペットボトルを投入するために、支点前板と支点後板の上部が回転するように蝶番で連結したスタンドの頂点に支点補助板を付け、この支点補助板の下端に缶箱支持板をつける。缶箱支持板の下端に直角に缶箱載板を付け、缶箱載板に缶箱側板基準止板をつける。支点前板と支点後板のスタンドの頂点上部で缶箱載板の缶箱側板基準止板に飲料水缶箱を載せて、缶箱支持板を回転させると自動販売機への投入具に飲料水缶やペットボトルが転げ落ちるようにする。
【０００８】
飲料水缶やペットボトルの自動販売機への投入具に飲料水缶やペットボトルを投入するために、飲料水缶やペットボトルのスタンドの支点前板や支点後板、支点補助板、缶箱載板、缶箱支持板、缶箱側板基準止板を折りたたむようにすると運搬する場合でも場所をとらない。
【０００９】
飲料水缶やペットボトルの自動販売機への投入具に飲料水缶やペットボトルを投入するために、高さの違う飲料水缶やペットボトルが缶通路の側板の幅を側板伸縮腕木で飲料水缶やペットボトルの高さに調節できるようにする。
【実施例】
【００１０】
図１のように支点前板１と支点後板３を開きへの字蝶番２で固定する。缶箱載板６と缶箱支持板８が直角になるようにする。この缶箱載板６に飲料水缶の箱を缶箱側板基準止板５に合わせて立てる。缶箱缶止板９を握り回転させると缶箱支持板８が缶投入台の支点補助板４と重なり、支点前板１と支点後板３の頂点を支点として自動販売機への缶投入具に飲料水缶やペットボトルが転げ落ちて投入される。
【００１１】
飲料水缶やペットボトルの高さの違いにより缶通路左側板１３の反対の缶通路右側板１０を飲料水缶やペットボトルの高さの幅に合わせるように図５の缶通路右側板伸縮後腕木２３と缶通路右側板伸縮前腕木２４を伸縮して缶通路右側板１０を調節する。
【００１２】
缶投入台を使用しない場合は、支点前板１と支点後板３を固定している支点前後板のへの字蝶番２を縮めて折りたたむと、支点前板１と支点後板３が重なり、これに缶投入台の支点補助板４も重なる。また、缶箱載板６を缶箱支持板８に重ねて、これを缶投入台の支点補助板４に重ねると小さくすることができる。
【００１３】
飲料水缶やペットボトルの太さの違いにより缶箱缶止板９の角度を変えることにより缶通路が調節できるので一定の飲料水缶やペットボトルの流れができる。
【産業上の利用可能性】
【００１４】
飲料水缶やペットボトルを自動販売機の飲料水缶やペットボトルの投入具に飲料水缶やペットボトルを投入する場合に、容易に、短時間で投入できる。そのため自動販売機のドアを開けておく時間が短いので、冷気が逃げる時間が少なく省ネルギーであり、また、交通の障害や缶購入者が待つ時間が少なくなるので自動販売機の不便を避けることができる。容易に、短時間で投入できる。短時間投入で労力軽減を図ることができる。
【符号の説明】
【００１５】
１  支点前板
２  支点前後板のへの字蝶番
３  支点後板
４  缶投入台の支点補助板
５  缶箱側板基準止板
６  缶箱載板
７  缶箱支持板伸縮ワイヤー固定ネジ
８  缶箱支持板
９  缶箱缶止板
１０  缶通路右側板
１１  缶箱缶止板可動ネジ
１２  缶通路口
１３  缶通路左側板
１４  缶箱支持板伸縮ワイヤー
１５  補助板可動ネジ
１６  蝶番可動固定ネジ
１７  支点補助板蝶番
１８  支点補助板可動蝶番止めネジ
１９  支点補助板可動蝶番
２０  缶箱支持板と支点補助板蝶番
２１  缶投入台の支点前後板蝶番
２２  缶投入台支点前板と支点補助板蝶番
２３  缶通路右側板伸縮後腕木
２４  缶通路右側板伸縮前腕木
２５  缶通路右側板伸縮後腕木通路
２６  缶通路右側板伸縮前腕木通路
【図１】
2012003641.tif 000003
【図２】
2012003641.tif 000004
【図３】
2012003641.tif 000005
【図４】
2012003641.tif 000006
【図５】
2012003641.tif 000007